(57)【要約】      （修正有）【課題】回転部同士が相対的に回転でき、電源挿入孔の位置をずらすことができ、ソケットの利用率が高くなる、便利な回転式ソケットを提供する。【解決手段】ソケット本体１００、電源ケーブル２００及びプラグ３００を備え、ソケット本体１００が、首尾が回転自在に連接された複数の回転部１０を備え、回転部１０がハウシング１を備え、ハウシング１の表面に、電源挿入孔１０１が設置され、ハウシング１内における、電源挿入孔１０１に対応する箇所に、電源連接部材が設置され、隣接する回転部１０の間に、回転構造が設置され、回転構造が、ハウシング１の一端に設置された円形孔およびハウシング１の他端に設置された円形筒を備え、一つの前記回転部１０の前記円形筒が隣接する前記回転部１０の円形孔内に挿入され、円形筒の外壁に、環状凸筋が一体成形され、電源ケーブル２００に隣接する回転部１０の内部に、分配器が設置され、電源ケーブル２００が分配器に連接される。【選択図】図１
0003197062.tif 000002
【実用新案登録請求の範囲】
【請求項１】
ソケット本体、電源ケーブル及びプラグを備え、前記電源ケーブルの一端が前記ソケット本体に連接され、前記電源ケーブルの他端が前記プラグに連接される新型の回転式ソケットであって、前記ソケット本体が、首尾が回転自在に連接された複数の回転部を備え、前記回転部がハウシングを備え、前記ハウシングがプラスチック製品であり、前記ハウシングの表面に、電源挿入孔が設置され、前記ハウシング内における、前記電源挿入孔に対応する箇所に、電源連接部材が設置され、隣接する前記回転部の間に、回転構造が設置され、前記回転構造が、前記ハウシングの一端に設置された円形孔および前記ハウシングの他端に設置された円形筒を備え、一つの前記回転部の前記円形筒が隣接する前記回転部の円形孔内に挿入され、前記円形筒の外壁に、環状凸筋が一体成形され、前記電源ケーブルに隣接する前記回転部の内部に、分配器が設置され、前記電源ケーブルが前記分配器に連接され、各前記ハウシング内の電源連接部材と前記分配器との間が導線を介して連接されることを特徴とする新型の回転式ソケット。
【請求項２】
隣接する前記ハウシングの間に、回転位置決め構造が設置されることを特徴とする請求項１に記載の新型の回転式ソケット。
【請求項３】
前記回転位置決め構造は、前記ハウシングの一端に設置された突起および前記ハウシングの他端に設置された凹孔を備え、前記突起が前記凹孔内に伸びることを特徴とする請求項２に記載の新型の回転式ソケット。
【請求項４】
前記凹孔が複数設置され、且つ、前記円形筒または前記円形孔の円心を中心として円周方向に均一に分布することを特徴とする請求項３に記載の新型の回転式ソケット。
【請求項５】
前記突起は複数設置され、且つ、前記円形筒または前記円形孔の円心を中心として円周方向に均一に分布することを特徴とする請求項４に記載の新型の回転式ソケット。
【請求項６】
前記凹孔と前記突起のそれぞれが、４個設置されることを特徴とする請求項５に記載の新型の回転式ソケット。
【考案の詳細な説明】
【技術分野】
【０００１】
本考案は、ソケット構造の技術分野に関し、特に、新型の回転式ソケットに関する。
【背景技術】
【０００２】
従来のソケットは、大部分が一体構造であるが、上面に電源挿入孔があり、隣接する挿入孔同士が緊密に配列され、使用際に、側方空間を大きく占めるプラグ、例えば、側面に電源ケーブルが連接されたプラグを使用できなく、隣接する挿入孔の使用に影響を及ぼし、ユーザーにとって不便になる。
【考案の概要】
【考案が解決しようとする課題】
【０００３】
本考案は、上記の従来技術の欠陥を克服し、ソケットの利用率が高く、ユーザーにとって使用が便利になる新型の回転式ソケットを提供することを目的とする。
【課題を解決するための手段】
【０００４】
本考案は、新型の回転式ソケットであって、ソケット本体、電源ケーブル及びプラグを備え、前記電源ケーブルの一端が前記ソケット本体に連接され、前記電源ケーブルの他端が前記プラグに連接され、前記ソケット本体が、首尾が回転自在に連接された複数の回転部を備え、前記回転部がハウシングを備え、前記ハウシングの表面に、電源挿入孔が設置され、前記ハウシング内における、前記電源挿入孔に対応する箇所に、電源連接部材が設置され、隣接する前記回転部の間に、回転構造が設置され、前記回転構造が、前記ハウシングの一端に設置された円形孔および前記ハウシングの他端に設置された円形筒を備え、一つの前記回転部の前記円形筒が隣接する前記回転部の円形孔内に挿入され、前記円形筒の外壁に、環状凸筋が一体成形され、前記電源ケーブルに隣接する前記回転部の内部に、分配器が設置され、前記電源ケーブルが前記分配器に連接され、各前記ハウシング内の電源連接部材と前記分配器との間が導線を介して連接される新型の回転式ソケットである。
【０００５】
また、隣接する前記ハウシングの間に、回転位置決め構造が設置される。
【０００６】
また、前記回転位置決め構造は、前記ハウシングの一端に設置された突起および前記ハウシングの他端に設置された凹孔を備え、前記突起が前記凹孔内に伸びる。
【０００７】
また、前記凹孔が複数設置され、且つ、前記円形筒または前記円形孔の円心を中心として円周方向に均一に分布する。
【０００８】
また、前記突起は複数設置され、且つ、前記円形筒または前記円形孔の円心を中心として円周方向に均一に分布する。
【０００９】
また、前記凹孔と前記突起のそれぞれが、４個設置される。
【考案の効果】
【００１０】
本考案による新型の回転式ソケットは、ソケット本体が、首尾が回転自在に連接された複数の回転部を備え、回転部同士が一定の角度で相対的に回転でき、上面にある電源挿入孔の位置をずらすことができるようにして、大きいサイズのプラグを挿設することができるようにして、ソケットの利用率が高くなり、ユーザーにとって使用が便利になる。
【図面の簡単な説明】
【００１１】
本考案の実施形態の技術手段を一層明瞭に説明するために、以下、実施形態において参照される図面を簡単に説明する。以下説明される図面は、本考案の実施形態にすぎないことが明らかに明瞭である。当業者にとって、創造的な労働を払わない場合でも、これらの図面に基づいて他の図面を得ることができる。
【図１】図１は、本考案の実施形態による新型の回転式ソケットの概略斜視図である。
【図２】図２は、本考案の実施形態による新型の回転式ソケットのソケット本体の概略斜視図である。
【図３】図３は、本考案の実施形態による新型の回転式ソケットのソケット本体の概略斜視図である。
【図４】図４は、本考案の実施形態による新型の回転式ソケットのソケット本体の他の状態の概略斜視図である。
【図５】図５は、本考案の実施形態による新型の回転式ソケットのソケット本体の他の状態の概略斜視図である。
【図６】図６は、本考案の実施形態による新型の回転式ソケットの回転部の概略斜視図である。
【図７】図７は、本考案の実施形態による新型の回転式ソケットの回転部の概略斜視図である。
【考案を実施するための形態】
【００１２】
本考案の目的、技術手段及び利点を更に明瞭にするために、以下、図面及び実施形態を参照しながら、本考案について一層詳細に説明する。しかし、ここで説明される特定の実施形態は、本考案を釈明するためのものにすぎなく、本考案を限定しないものであると認められる。
【００１３】
なお、素子は、他の素子に「固定」または「設置」されると述べられる場合、この他の素子に直接にまたはある素子を介して位置されてもよい。素子は、他の素子に「連接」されると述べられる場合、この他の素子に直接にまたはある素子を介して連接されてもよい。
【００１４】
なお、本実施形態における「左」、「右」、「上」、「下」等の方位用語は、互いに相対概念とし、または、製品の正常使用状態を参考とするにすぎなく、限定性を有しないものであると認められる。
【００１５】
図１〜図７に示すように、本考案の実施形態による新型の回転式ソケットは、ソケット本体１００、電源ケーブル２００及びプラグ３００を備える。前記電源ケーブル２００の一端がソケット本体１００に連接され、前記電源ケーブル２００の他端がプラグ３００に連接される。プラグ３００は、それぞれが送電線、ゼロ線およびアース線に連接されるための三つのピンが設置される。前記ソケット本体１００は、首尾が回転自在に連接された複数の回転部１０を備える。回転部１０同士は一定の角度で相対的に回転できる。前記回転部１０はハウシング１を備える。前記ハウシング１は、プラスチック製品であり、絶縁効果がよく且つ確実性が高い。前記ハウシング１の表面には、電源挿入孔１０１が設置され、電気器具のプラグと連接されることが便利になるようにする。前記ハウシング１内における、電源挿入孔１０１に対応する箇所には、電源連接部材１１１が設置され、電気器具のプラグのピンが電源挿入孔１０１を通過して電源連接部材１１１と連接されることができる。隣接する前記回転部１０の間には、回転構造が設置され、前記回転構造は、ハウシング１の一端に設置された円形孔１１およびハウシング１の他端に設置された円形筒１２を備える。一つの回転部１０の円形筒１２が隣接する回転部１０の円形孔１１内に挿入されることにより、隣接する回転部１０が互いに連接され且つ相対的に回転できる。前記円形筒１２の外壁には、隣接する回転部１０が容易に脱落することを防止するための環状凸筋１２１が一体成形される。前記電源ケーブル２００に隣接する前記回転部１０は、内部に分配器４００が設置される。前記電源ケーブル２００は前記分配器４００に連接される。各前記ハウシング１内の電源連接部材１１１と前記分配器４００との間は、導線を介して連接され、組み立てが容易になるようにする。このように、回転できる回転部１０を設置することにより、上面にある電源挿入孔１０１の位置をずらすことができ、大きいサイズのプラグを挿設することが便利になるようにして、ソケットの利用率が高くなり、ユーザーにとって使用が便利になる。
【００１６】
具体的には、図１〜図７に示すように、隣接する前記ハウシング１の間には、回転位置決め構造が設置され、ユーザーにとって、回転部１０を回転し且つ回転部１０を設定された角度で保つことが便利になるようにする。
【００１７】
具体的には、図６及び図７に示すように、前記回転位置決め構造は、前記ハウシング１の一端に設置された突起１３および前記ハウシング１の他端に設置された凹孔１４を備え、前記突起１３が前記凹孔１４内に伸び、構造が簡単且つ確実になる。
【００１８】
具体的には、図６及び図７に示すように、前記凹孔１４は複数設置され、且つ、前記円形筒１２または前記円形孔１１の円心を中心として円周方向に均一に分布し、使用が便利になるようにする。
【００１９】
具体的には、図６及び図７に示すように、前記突起１３は複数設置され、且つ、前記円形筒１２または前記円形孔１１の円心を中心として円周方向に均一に分布し、使用が便利になるようにする。
【００２０】
具体的には、図６及び図７に示すように、前記凹孔１４と前記突起１３のそれぞれは、４個、１２個、または１６個など設置される。
【００２１】
具体的には、図１〜図４に示すように、前記ハウシング１の表面には、前記ハウシング１内の電源連接部材１１１を制御するためのボタンスイッチ１５が設置され、各回転部１０の電源をそれぞれ制御することができる。
【００２２】
具体的には、前記電源ケーブル２００は、長さが少なくとも１．５メートルであり、使用が便利になるようにする。
【００２３】
具体的には、図１〜図４に示すように、前記回転部１０は、少なくとも三つ設置され、電源挿入孔１０１の数を保証するようにする。
【００２４】
本考案による新型の回転式ソケットは、ソケット本体１００が、首尾が回転自在に連接された複数の回転部１０を備え、回転部１０同士が一定の角度で相対的に回転でき、上面にある電源挿入孔１０１の位置をずらすことができるようにして、大きいサイズのプラグを挿設することができるようにして、ソケットの利用率が高くなり、ユーザーにとって使用が便利になる。
【００２５】
以上は、本考案の好適な実施形態にすぎなく、本考案を限定しないものであるが、本考案の要旨を逸脱しない範囲内に加えられる種々の変更、交替及び改良などは、請求の範囲に記載された範疇に属すべきである。
【図１】
0003197062.tif 000003
【図２】
0003197062.tif 000004
【図３】
0003197062.tif 000005
【図４】
0003197062.tif 000006
【図５】
0003197062.tif 000007
【図６】
0003197062.tif 000008
【図７】
0003197062.tif 000009